(57)【要約】【課題】印刷機において、ンキ貯留部に貯留されている水性インキの乾燥を抑制して良好な印刷作業を行うことが可能とする。【解決手段】インキつぼ３５、インキ元ローラ３６、受渡しローラ３７、練ローラ３８、往復ローラ３９、インキ着ローラ４０、版胴３２、ブランケット胴３１を直列に対接して構成し、インキつぼ３５に貯留された水性インキからの水分蒸発を抑制するインキ保湿手段として、インキつぼ３５に貯留される水性インキＡの表面を被覆する保湿材Ｂを設ける。【選択図】      図２
2010143207.tif 000002
【特許請求の範囲】
【請求項１】
インキ貯留部から水性インキを供給するインキ供給手段と、
該インキ供給手段からインキが受け渡されるインキローラ群と、
該インキローラ群からインキが受け渡される版胴と、
該版胴に対接して該版胴に供給されたインキを絵柄として印刷用紙に転写するブランケット胴と、
前記インキ貯留部に貯留された水性インキからの水分蒸発を抑制するインキ保湿手段と、
を備えることを特徴とする印刷機。
【請求項２】
前記インキ保湿手段は、前記インキ貯留部に貯留される水性インキの表面を被覆する保湿材を有することを特徴とする請求項１に記載の印刷機。
【請求項３】
前記保湿材は、水性インキの表面上に浮遊する液体であることを特徴とする請求項２に記載の印刷機。
【請求項４】
前記保湿材は、水性インキの表面上に浮遊するシートであることを特徴とする請求項２に記載の印刷機。
【請求項５】
前記インキ供給手段は、前記インキ貯留部の水性インキを送り出すインキ元ローラを有し、該インキ元ローラに近接して前記保湿材の送り出しを防止する送出防止ブレードが設けられることを特徴とする請求項１から４のいずれか一つに記載の印刷機。
【請求項６】
前記インキ保湿手段は、前記インキ貯留部の上方を覆うカバーを有することを特徴とする請求項１に記載の印刷機。
【請求項７】
印刷作業を行う印刷モード間で印刷作業を停止する印刷停止モードにあるときに前記インキ保湿手段を用いることを特徴とする請求項１から６のいずれか一つに記載の印刷機。
【発明の詳細な説明】
【技術分野】
【０００１】
本発明は、例えば、オフセット枚葉印刷機やオフセット輪転印刷機などの印刷ユニットにて、水性インキを使用可能な印刷機に関するものである。
【背景技術】
【０００２】
一般に、オフセット輪転印刷機は、給紙装置とインフィード装置と印刷装置と乾燥装置と冷却装置とウェブパス装置と折り装置と排紙装置とから構成されている。給紙装置は、２つの巻取体（ウェブロール）が装着されるリールスタンドを有しており、一方の巻取体から引き出されて走行しているウェブを、他方の巻取体のウェブに接続することで、連続的にウェブを供給可能な印刷機を有している。インフィード装置は、給紙装置の巻取体から引き出されたウェブを所定の速度で印刷装置に供給するものである。印刷装置は、一般的にブラック、シアン、マゼンタ、イエローの４色それぞれに対応した４組の印刷ユニットがウェブ走行方向に沿って並設されている。乾燥装置は、印刷装置により印刷が施されたウェブ上のインキを乾燥させるためのものであり、冷却装置は、乾燥装置での乾燥後の過剰な熱を蓄えるウェブを適当な温度まで冷却するものである。ウェブパス装置は、乾燥されて冷却されたウェブを搬送するものであり、折り装置は、ウェブを縦折りされた後に裁断し、所定の大きさに折り畳んで折帖を形成するものであり、排紙装置は、折り畳まれた折帖を機外へ搬出するものである。
【０００３】
従って、給紙装置により巻取体からロール状のウェブが引き出され、このウェブがインフィード装置により所定の速度で印刷装置に供給され、この印刷装置における各印刷ユニットにより多色印刷が施され、印刷されたウェブは、乾燥装置でインキが乾燥され、冷却装置で冷却され、ウェブパス装置を経て搬送された折り装置により折帖が作成され、排紙装置により搬出される。
【０００４】
このようなオフセット輪転印刷機における印刷装置の各印刷ユニットは、両面印刷機の場合、水平に搬送されるウェブの上下に、インキ供給装置と、インキ着ローラと、版胴と、ブランケット胴がそれぞれ対称に配置されている。インキ供給装置は、インキつぼ装置を有し、インキつぼのインキをインキ元ローラやインキ受渡ローラなどを介してインキローラ群に受け渡し、その後、インキ着ローラに供給するものである。そして、インキ着ローラと版胴とブランケット胴は順に対接しており、版胴には表面に版が装着されており、ブランケット胴は、版胴に供給されたインキを絵柄としてウェブに転写することができる。
【０００５】
従って、インキ供給装置の各ローラを回転すると、インキ元ローラにより供給量が調整されたインキが、インキつぼから呼び出しローラに供給され、インキローラ群で適度に練られ、薄膜を形成した後にインキ着ローラから版胴の版面に供給され、版面に付着したインキがブランケット胴に転写され、対向するブランケット胴との間でウェブが挟持されることで、このウェブに所定の印圧が掛けられてブランケット胴のインキを絵柄として転写される。
【０００６】
上述した印刷装置の印刷ユニットでは、油性インキが用いられて印刷が行われる。この油性インキは、一般に、その粘性が高いことから、インキ供給装置として多数の練ローラを設け、且つ、複数のインキ着ローラを設けている。そのため、構造が大型化してしまう。また、油性インキは、顔料、インキ用樹脂、石油系溶剤などを主成分として形成されており、石油系溶剤として、ＶＯＣ（揮発性有機溶剤）が用いられており、地球環境保全や労働環境保全の面で好ましくない。そのため、油性インキに代えてＶＯＣを含まない水性インキを用いて印刷を行うことが提案されている。
【０００７】
水性インキを用いた印刷機としては、例えば、下記特許文献１に記載されたものがある。この特許文献１に記載された印刷ユニットでは、インキユニットと、水性インキを収容するのに適した版板を支持する版胴と、印刷ブランケットを支持するブランケット胴を設けると共に、版板、印刷ブランケット、インキユニットのうちの１つまたは２つ以上のインキ保持面を、水性インキを用いた印刷に適した所定の温度に維持するための冷却ユニットを設けている。
【０００８】
また、特許文献２では、インキ着ローラ上の水性インキの水分量を低下させるインキ水分量低下手段として、インキ着ローラにおける水性インキの転写部分を覆うカバーと、このカバーに覆われた空間部を除湿する除湿装置を設けている。
【０００９】
【特許文献１】特表２０００−５０６０９１号公報
【特許文献２】特開２００８−２０７４８５号公報
【発明の開示】
【発明が解決しようとする課題】
【００１０】
上述した印刷機にて、インキつぼは、水性インキを所定量ダム貯留しており、インキ元ローラが回転することで、インキつぼの水性インキがインキキーとインキ元ローラとの隙間から送り出され、インキ受渡ローラに受け渡される。この場合、インキつぼは、水性インキを補充しやすいように、上方が開口した形状となっている。
【００１１】
ところが、水性インキは、一般に、水溶性樹脂やアミンやアルカリで水溶液とした樹脂を水に溶解させたものであり、油性インキに比べて乾燥しやすい。そのため、周囲の温度が上昇したり、周囲の湿度が低下したときには、インキつぼの水性インキから水分が蒸発しやすく、インキ特性が変わってしまうおそれがある。特に、印刷機を停止した状態で長時間経過したときには、インキつぼの水性インキ特性が変わりやすい。
【００１２】
本発明は上述した課題を解決するものであり、インキ貯留部に貯留されている水性インキの乾燥を抑制して良好な印刷作業を行うことが可能な印刷機を提供することを目的とする。
【課題を解決するための手段】
【００１３】
上記の目的を達成するための本発明の印刷機は、インキ貯留部から水性インキを供給するインキ供給手段と、該インキ供給手段からインキが受け渡されるインキローラ群と、該インキローラ群からインキが受け渡される版胴と、該版胴に対接して該版胴に供給されたインキを絵柄として印刷用紙に転写するブランケット胴と、前記インキ貯留部に貯留された水性インキからの水分蒸発を抑制するインキ保湿手段と、を備えることを特徴とするものである。
【００１４】
本発明の印刷機では、前記インキ保湿手段は、前記インキ貯留部に貯留される水性インキの表面を被覆する保湿材を有することを特徴としている。
【００１５】
本発明の印刷機では、前記保湿材は、水性インキの表面上に浮遊する液体であることを特徴としている。
【００１６】
本発明の印刷機では、前記保湿材は、水性インキの表面上に浮遊するシートであることを特徴としている。
【００１７】
本発明の印刷機では、前記インキ供給手段は、前記インキ貯留部の水性インキを送り出すインキ元ローラを有し、該インキ元ローラに近接して前記保湿材の送り出しを防止する送出防止ブレードが設けられることを特徴としている。
【００１８】
本発明の印刷機では、前記インキ保湿手段は、前記インキ貯留部の上方を覆うカバーを有することを特徴としている。
【００１９】
本発明の印刷機では、印刷作業を行う印刷モード間で印刷作業を停止する印刷停止モードにあるときに前記インキ保湿手段を用いることを特徴としている。
【発明の効果】
【００２０】
本発明の印刷機によれば、インキ貯留部から水性インキを供給するインキ供給手段と、インキ供給手段からインキが受け渡されるインキローラ群と、インキローラ群からインキが受け渡される版胴と、版胴に対接して該版胴に供給されたインキを絵柄として印刷用紙に転写するブランケット胴とを設けると共に、インキ貯留部に貯留された水性インキからの水分蒸発を抑制するインキ保湿手段を設けている。従って、インキ保湿手段によりインキ貯留部に貯留された水性インキからの水分蒸発が抑制されることとなり、インキ貯留部に貯留されている水性インキの乾燥を抑制して良好な印刷作業を行うことができる。
【００２１】
本発明の印刷機によれば、インキ保湿手段として、インキ貯留部に貯留される水性インキの表面を被覆する保湿材を設けるので、水性インキは、この保湿材により表面が被覆されることとなり、水分の蒸発を適正に抑制することができる。
【００２２】
本発明の印刷機によれば、保湿材として、水性インキの表面上に浮遊する液体を設けるので、保湿液を水性インキの表面に付与すればよく、取り扱い性を向上することができる。
【００２３】
本発明の印刷機によれば、保湿材として、水性インキの表面上に浮遊するシートを設けるので、保湿シートと水性インキとの混合を防止して水性インキの品質の低下を防止することができる。
【００２４】
本発明の印刷機によれば、インキ供給手段として、インキ貯留部の水性インキを送り出すインキ元ローラを設け、このインキ元ローラに近接して保湿材の送り出しを防止する送出防止ブレードを設けるので、水性インキへの保湿材の混入を防止して水性インキの品質の低下を防止することができる。
【００２５】
本発明の印刷機によれば、インキ保湿手段として、インキ貯留部の上方を覆うカバーを設けるので、インキ貯留部内がカバーにより密閉状態となることで、水性インキからの水分の蒸発を適正に抑制することができる。
【００２６】
本発明の印刷機によれば、印刷作業を行う印刷モード間で印刷作業を停止する印刷停止モードにあるときにインキ保湿手段を用いるので、短期間にわたって印刷作業を停止するときだけでなく、長期間にわたって印刷作業を停止するときでも、インキ貯留部に貯留された水性インキからの水分蒸発を抑制することができ、水性インキの品質の低下を適正に防止することができる。
【発明を実施するための最良の形態】
【００２７】
以下に添付図面を参照して、本発明に係る印刷機の好適な実施例を詳細に説明する。なお、この実施例により本発明が限定されるものではない。
【実施例１】
【００２８】
図１は、本発明の実施例１に係る印刷機における印刷ユニットを表す概略構成図、図２は、実施例１の印刷ユニットにおけるインキ供給装置を表す概略図、図３は、実施例１の印刷機を表す概略構成図である。
【００２９】
実施例１の印刷機は、水性インキを用いたオフセット輪転印刷機であって、図３に示すように、給紙装置１１と、インフィード装置１２と、印刷装置１３と、乾燥装置１４と、冷却装置１５と、ウェブパス装置１６と、折り装置１７と、排紙装置１８とから構成されている。
【００３０】
給紙装置１１は、２つの巻取体（ウェブロール）が装着されるリールスタンドを有しており、一方の巻取体から引き出されて走行しているウェブ（印刷用紙）を、他方の巻取体のウェブに接続することで、連続的にウェブを供給可能な紙継装置を有している。インフィード装置１２は、給紙装置１１のウェブを印刷装置１３側に供給するものである。印刷装置１３は、４つの水性インキ色である墨（Black）、藍（Cyan）、紅（Magenta）、黄（Yellow）ごとの４個の印刷ユニット２１，２２，２３，２４がウェブ走行方向に沿って並設されて構成されている。乾燥装置１４は、印刷装置１３により印刷が施されたウェブ上の水性インキを乾燥させるためのものであり、冷却装置１５は、乾燥装置１４での乾燥後の過剰な熱を蓄えるウェブを適当な温度まで冷却するものである。ウェブパス装置１６は、乾燥されて冷却されたウェブを搬送するものであり、折り装置１７は、ウェブを縦折りされた後に裁断し、所定の大きさに折り畳んで折帖を形成するものであり、排紙装置１８は、折り畳まれた折帖を機外へ搬出するものである。
【００３１】
従って、給紙装置１１により巻取体からロール状のウェブＷが引き出され、インフィード装置１２により印刷装置１３に供給され、この印刷装置１３にて、各印刷ユニット２１，２２，２３，２４により多色印刷が施され、印刷されたウェブＷは、乾燥装置１４で水性インキが乾燥され、冷却装置１５で冷却され、ウェブパス装置１６を経て搬送されて折り装置１７により折帖が作成され、排紙装置１８により搬出される。
【００３２】
ここで、本実施例のオフセット輪転印刷機にて、各印刷ユニット２１，２２，２３，２４は、ウェブＷの表面及び裏面に同時に印刷する両面印刷機であって、使用する水性インキの色（墨、藍、紅、黄）が相違するだけで、その構成はほぼ同様のものとなっている。そのため、以下の説明では、一つの印刷ユニット２１において、ウェブＷの表面に印刷を施す構成についてのみ説明する。
【００３３】
印刷ユニット２１において、図１に示すように、ウェブＷの搬送経路における上方には、ブランケット胴３１が配置されると共に、このブランケット胴３１に対接して版胴３２が配置されている。そして、版胴３２の上方に、インキローラ群３３とインキ供給装置３４が配置されている。
【００３４】
このインキ供給装置３４は、予め設定された所定粘性、つまり、所定水分率の水性インキまたは水溶性インキを貯留するインキ貯留部としてのインキつぼ３５と、このインキつぼ３５から図示しないインキキーにより調量されたインキを供給するインキ元ローラ３６とを有している。また、インキローラ群３３は、インキ元ローラ３６のインキを受け渡す受渡しローラ３７と、受渡しローラ３７から受け渡されたインキを練る練ローラ３８と、練ローラ３８により練られたインキを幅方向に広げる往復ローラ３９と、往復ローラ３９から受け渡されたインキを版胴３２に供給するインキ着ローラ４０とを有している。
【００３５】
この場合、インキ元ローラ３６、練ローラ３８、インキ着ローラ４０は、表面に弾力部を有するゴムローラである。一方、受渡しローラ３７、往復ローラ３９は、金属性のローラである。また、版胴３２は、表面に図示しない版が装着された金属ローラであり、ブランケット胴３１は、表面に弾力部としてのブランケットが装着されたゴムローラである。そして、インキ元ローラ３６、受渡しローラ３７、練ローラ３８、往復ローラ３９、インキ着ローラ４０、版胴３２、ブランケット胴３１が直列をなして対接している。
【００３６】
なお、この印刷ユニット２１において、ウェブＷの搬送経路における下方にも上述と同様に、ブランケット胴４１に加えて、図示しない版胴、インキローラ群、インキ供給装置が配置されている。このブランケット胴４１は、ウェブＷを介してブランケット胴３１と対向している。
【００３７】
従って、印刷ユニット２１の上部にて、インキ元ローラ３６により供給量が調整された水性インキが、インキつぼ３５から受渡しローラ３７に供給され、練ローラ３８及び往復ローラ３９を通ることで適度に練られ、薄膜を形成した後にインキ着ローラ４０に供給され、このインキ着ローラ４０から版胴３２の版面に供給され、版面に付着したインキがブランケット胴３１に転写される。一方、印刷ユニット２１の下部にて、インキ供給装置からインキがインキローラ群を介して版胴の版面に供給され、版面に付着したインキがブランケット胴４１に転写される。そして、表面印刷を行うブランケット胴３１と裏面印刷を行うブランケット胴４１との間でウェブＷに所定の印圧が掛けられることで、各ブランケット胴３１，４１のインキを絵柄としてウェブＷの表面及び裏面に転写することができる。
【００３８】
また、本実施例のオフセット輪転印刷機における印刷ユニット２１には、インキローラ群３３及びインキ供給装置３４における少なくとも一組のローラの対接部にその回転方向の下流側から調湿空気を供給する調湿空気供給手段（加湿空気供給手段、諸室空気供給手段）が設けられている。
【００３９】
即ち、インキ元ローラ３６と受渡しローラ３７との対接部には、その回転方向の下流側に位置して第１噴射ノズル５１が設けられている。そして、第１噴射ノズル５１には、加湿空気供給ライン５２を介して加湿空気供給源５３が連結されている。また、往復ローラ３９とインキ着ローラ４０との対接部には、その回転方向の下流側に位置して第２噴射ノズル５４が設けられている。そして、第２噴射ノズル５４には、除湿空気供給ライン５５を介して除湿空気供給源５６が連結されている。
【００４０】
第１噴射ノズル５１は、インキ元ローラ３６と受渡しローラ３７との対接部にその回転方向の下流側から加湿空気を供給することで、インキ元ローラ３６と受渡しローラ３７上のインキの水分量を増加させるものである。第２噴射ノズル５４は、往復ローラ３９とインキ着ローラ４０との対接部にその回転方向の下流側から除湿空気を供給することで、往復ローラ３９やインキ着ローラ４０上のインキの水分量を低下させるものである。
【００４１】
具体的には、加湿空気は、湿度が８０％（７０〜９０％）の空気であり、ナノミストまたはミスト等である。一方、除湿空気は、湿度が３０％（２０〜４０％）の空気であり、ドライ空気である。第１噴射ノズル５１は、ローラ間を転写中するときに水分が蒸発したインキに対して、水分を付与して所定の水分率を維持するためのものである。一方、第２噴射ノズル５４は、ある程度、水分量が確保されたインキから水分を蒸発させて水分率を低下させることで、版胴３２からブランケット胴３１へのインキの転写性を確保するものである。
【００４２】
なお、加湿空気供給源５３及び除湿空気供給源６６は、図示しないファンや流量調整弁などを有しており、制御装置によりこれらを制御することで、印刷ユニット２１における雰囲気湿度に応じて噴射ノズル５１，５４が供給する調湿空気の湿度が最適となるように制御することが望ましい。
【００４３】
更に、本実施例のオフセット輪転印刷機における印刷ユニット２１には、インキつぼ（インキ貯留部）３５に貯留された水性インキからの水分蒸発を抑制するインキ保湿手段が設けられている。本実施例では、このインキ保湿手段は、インキつぼ３５に貯留される水性インキの表面を被覆する保湿材である。
【００４４】
具体的に説明すると、図２に示すように、インキつぼ３５は、水性インキＡを貯留すると共にインキ元ローラ３６が浸漬されるつぼ本体３５ａと、つぼ本体３５ａの回動自在に支持されると共にインキ元ローラ３６の外周面との隙間を調整可能なインキキー３５ｂを有している。なお、このインキキー３５ｂは、インキ元ローラ３６の回転軸の軸方向に沿って配置されると共に、複数に分割しており、独立して移動可能となっている。即ち、このインキキー３５ｂを回動してインキ元ローラ３６の外周面との隙間を調整することで、インキ元ローラ３６がインキつぼ３５から送り出すインキ供給量を調整することができる。
【００４５】
本実施例の保湿材Ｂは、例えば、水性インキＡの表面上に浮遊する液体である。この保湿液としては、グリセリンやアミン系の溶剤など保水性を有する溶液が好ましい。その他、顔料が含有していない水性インキでもよく、この場合、使用する水性インキＡより粘度の高いものを用いることが望ましい。また、本実施例の保湿材としては、例えば、水性インキＡの表面上に浮遊するシートとしてもよい。この保湿シートとしては、オブラート（澱粉シート）や顔料が含有していない水性インキＡをシート状に固化したものであってもよい。この場合、所定時間が経過すると、保湿材が水性インキに混合、溶解してしまうが、少量であることから、水性インキＡの品質に影響を与えることはない。
【００４６】
また、インキつぼ３５には、インキ元ローラ３６に近接して保湿材Ｂの送り出しを防止する送出防止ブレード３５ｃが設けられている。この送出防止ブレード３５ｃは、つぼ本体３５ａの水性インキＡ内に浸漬するように配置され、先端部がインキ元ローラ３６の外周面に接触している。従って、インキ元ローラ３６が回転して水性インキＡを供給しているとき、水性インキＡの表面上に浮遊する保湿材Ｂがインキ元ローラ３６の回転により水性インキＡ内に引き込まれても、この送出防止ブレード３５ｃがインキ元ローラ３６の外周面に付着した保湿材Ｂによりかき取ることで、インキ元ローラ３６による保湿材Ｂの送り出しを抑制することができる。
【００４７】
また、本実施例では、印刷作業を行う印刷モード間で印刷作業を停止する印刷停止モードにあるとき、インキ保湿手段を用いる、つまり、インキつぼ３５に貯留される水性インキの表面上に保湿材Ｂを付与する。具体的には、印刷機によるその日の印刷作業が終了し、翌日まで長時間にわたって印刷機を停止しておくときに、インキつぼ３５に保湿材Ｂを投入して水性インキの表面を保湿材Ｂにより覆うことが望ましい。
【００４８】
ここで、上述した本実施例のオフセット輪転印刷機における印刷ユニット２１の運転動作について説明する。
【００４９】
印刷ユニット２１の印刷モードにて、図１に示すように、インキつぼ３５に貯留されるインキは、水、顔料、樹脂などから構成され、ロール間における良好な転写性が確保できるようにその水分率（水分量）が設定されている。各ローラが回転すると、インキ元ローラ３６により調量された水性インキが、インキつぼ３５から受渡しローラ３７、練ローラ３８、往復ローラ３９を介してインキ着ローラ４０に供給される。このインキの供給に際し、インキは、良好な転写性（インキの流動性）が確保できる水分率（水分量）に設定されており、適正にインキ着ローラ４０に供給される。
【００５０】
このとき、第１噴射ノズル５１は、インキ元ローラ３６と受渡しローラ３７との対接部にその回転方向の下流側から加湿空気を供給する。インキ元ローラ３６と受渡しローラ３７とは、その回転数が相違することからスリップが発生し、インキから水分が蒸発しやすい。そのため、インキ元ローラ３６と受渡しローラ３７上のインキに対して水分量を増加させる。
【００５１】
また、第２噴射ノズル５４は、往復ローラ３９とインキ着ローラ４０との対接部にその回転方向の下流側から除湿空気を供給する。インキがインキ着ローラ４０から版胴３２、ブランケット胴３１へ転写されるとき、版胴３２とブランケット胴３１上のインキの水分量を低下させることで、その転写性が向上する。そして、インキ着ローラ４０に供給されたインキは、対接する版胴３２に転写され、版胴３２が回転することで、この版胴３２に転写されたインキがブランケット胴３１に受け渡される。
【００５２】
その後、ブランケット胴３１が回転することで、このブランケット胴３１１に転写されたインキの絵柄がウェブＷに至ると、各ブランケット胴３１，４１との間でウェブＷに所定の印圧が掛けられ、各ブランケット胴３１，４１のインキの絵柄がウェブＷの表面及び裏面に転写される。
【００５３】
なお、水性インキの転写性及び画像形成性は、印刷品質に直結するものであり、オペレータは、印刷ユニット２１の雰囲気状態に応じて加湿空気供給源５３及び除湿空気供給源５６の駆動制御（ＯＮ／ＯＦＦ制御または能力制御）を行う必要がある。また、本実施例のオフセット輪転印刷機は、４つの印刷ユニット２１，２２，２３，２４を有しており、その他の印刷ユニット２２，２３，２４でも同様の作業を行っている。
【００５４】
そして、印刷ユニット２１，２２，２３，２４による印刷作業が終了し、印刷機を停止するとき、インキ供給装置３４におけるインキつぼ３５内に保湿材Ｂを投入する。すると、この保湿材Ｂは、インキつぼ３５内に貯留されている水性インキＡの表面に浮遊して表面全体を被覆する。そのため、水性インキＡは、表面が保湿材Ｂにより被覆されることで、含有する水分の蒸発が抑制される。
【００５５】
このように実施例１の印刷機にあっては、インキつぼ３５、インキ元ローラ３６、受渡しローラ３７、練ローラ３８、往復ローラ３９、インキ着ローラ４０、版胴３２、ブランケット胴３１を直列に対接して構成し、インキつぼ３５に貯留された水性インキからの水分蒸発を抑制するインキ保湿手段を設けている。
【００５６】
従って、インキ保湿手段によりインキつぼ３５に貯留された水性インキからの水分蒸発が抑制されることとなり、インキつぼ３５に貯留されている水性インキの乾燥を抑制し、品質の低下を防止して良好な印刷作業を行うことができる。
【００５７】
また、本実施例の印刷機では、インキ保湿手段として、インキつぼ３５に貯留される水性インキＡの表面を被覆する保湿材Ｂを設けており、水性インキＡはこの保湿材Ｂにより表面が被覆されることとなり、水分の蒸発を適正に抑制することができる。この場合、保湿材Ｂとして、水性インキＡの表面上に浮遊する保湿液とすると、保湿液を水性インキＡ
の表面に付与すればよく、取り扱い性を向上することができる。また、保湿材Ｂとして、水性インキＡの表面上に浮遊するシートとすると、保湿シートと水性インキＡとの混合を防止して水性インキＡの品質の低下を防止することができる。
【００５８】
また、本実施例の印刷機では、インキつぼ３５に水性インキを送り出すインキ元ローラ３６を設け、このインキ元ローラ３６に近接して保湿材の送り出しを防止する送出防止ブレード３５ｃを設けている。従って、水性インキへの保湿材の混入を防止して水性インキの品質の低下を防止することができる。
【００５９】
また、本実施例の印刷機では、印刷作業を行う印刷モード間で印刷作業を停止する印刷停止モードにあるときに、インキ保湿手段を用いている。従って、短期間にわたって印刷作業を停止するときだけでなく、長期間にわたって印刷作業を停止するときでも、インキつぼ３５に貯留された水性インキからの水分蒸発が抑制することができ、水性インキの品質の低下を適正に防止することができる。
【００６０】
なお、本実施例では、印刷機によるその日の印刷作業が終了し、翌日まで長時間にわたって印刷機を停止しておく印刷停止モードにあるとき、インキつぼ３５に貯留される水性インキの表面上に保湿材Ｂを付与するようにしたが、本発明は、この構成に限定されるものではない。例えば、版交換作業のために印刷作業を停止する印刷停止モードにあるとき、インキつぼ３５に貯留される水性インキの表面上に保湿材Ｂを付与してもよい。また、印刷作業を行う印刷モードにあるとき、インキつぼ３５に貯留される水性インキの表面上に保湿材Ｂを付与してもよい。
【実施例２】
【００６１】
図４は、本発明の実施例２に係る印刷機におけるインキ供給装置を表す概略図である。なお、前述した実施例で説明したものと同様の機能を有する部材には同一の符号を付して重複する説明は省略する。
【００６２】
実施例２のオフセット輪転印刷機において、図４に示すように、印刷ユニットのインキ供給装置６１には、インキつぼ（インキ貯留部）６２に貯留された水性インキからの水分蒸発を抑制するインキ保湿手段として、インキつぼ６２の上方を覆うカバー６３が設けられている。
【００６３】
具体的に説明すると、インキつぼ６２は、水性インキＡを貯留すると共にインキ元ローラ３６が浸漬されるつぼ本体６２ａと、つぼ本体６２ａの回動自在に支持されると共にインキ元ローラ３６の外周面との隙間を調整可能なインキキー６２ｂを有している。そして、つぼ本体６２ａの一端部には、カバー６３の一端部が連結軸（ヒンジ）６４により回動自在に連結されている。このカバー６３は、インキつぼ６２及びインキ元ローラ３６の上方を被覆する閉止位置と、上方に回動してインキつぼ６２及びインキ元ローラ３６の上方を開放する開放位置とに移動可能となっている。
【００６４】
従って、カバー６３が閉止位置にあるとき、インキつぼ６２及びインキ元ローラ３６の上方を被覆することで、インキつぼ６２の貯留されている水性インキＡからの水分の蒸発が抑制される。一方、インキつぼ６２の貯留されている水性インキＡの量が減少したときには、カバー６３を、図４に二点鎖線で示すように、上方に回動して開放位置に移動することで、インキつぼ６２に対して水性インキＡを補充することができる。
【００６５】
このように実施例２の印刷機にあっては、インキ供給装置６１をインキつぼ６２とインキ元ローラ３６により構成し、インキつぼ６２に貯留された水性インキからの水分蒸発を抑制するインキ保湿手段として、インキつぼ６２の上方を覆うカバー６３を設けている。
【００６６】
従って、インキつぼ６２がカバー６３により密閉状態となるため、水性インキＡからの水分の蒸発が抑制されることとなり、インキつぼ３５に貯留されている水性インキの乾燥を抑制し、品質の低下を防止して良好な印刷作業を行うことができる。また、印刷時には、インキつぼ６２の上方がカバー６３により被覆されることから、水性インキへの異物の混入も防止することができる。
【００６７】
なお、この実施例２にて、インキつぼ６２にカバー６３を開閉自在に設けたが、インキつぼにカバーを固定し、カバーの一部に開口部を設けると共に開口部に着脱式の蓋を設けてもよい。この場合であっても、蓋を外すことで、開口部から水性インキを補充することができる。
【実施例３】
【００６８】
図５は、本発明の実施例３に係る印刷機における印刷ユニットを表す概略図である。なお、前述した実施例で説明したものと同様の機能を有する部材には同一の符号を付して重複する説明は省略する。
【００６９】
実施例３のオフセット輪転印刷機において、図５に示すように、印刷ユニット２１には、印刷作業を行う印刷モード間で印刷作業を停止する印刷停止モードにあるときに、インキローラ群３３に付着している水性インキからの水分蒸発を抑制するインキ保湿手段が設けられている。このインキ保湿手段は、インキローラ群３３を構成する受渡しローラ３７、練ローラ３８、往復ローラ３９、インキ着ローラ４０の表面に保湿材Ｂを付与する保湿材噴射ノズル７１である。
【００７０】
具体的に説明すると、インキローラ群３３に対向して保湿材噴射ノズル７１が移動自在に設けられている。なお、この保湿材噴射ノズル７１から噴射される保湿材Ｂは、実施例１で説明したものと同様のものである。従って、印刷ユニット２１による印刷作業が終了し、印刷機を停止するとき、インキ元ローラ３６、受渡しローラ３７、練ローラ３８、往復ローラ３９、インキ着ローラ４０、版胴３２、ブランケット胴３１の回転を停止した後、保湿材噴射ノズル７１により受渡しローラ３７、練ローラ３８、往復ローラ３９、インキ着ローラ４０の表面に保湿材Ｂを噴射し、水性インキの表面をこの保湿材により被覆する。そのため、各ローラ表面の水性インキは、表面が保湿材Ｂにより被覆されることで、含有する水分の蒸発が抑制される。
【００７１】
なお、印刷ユニットにより印刷を開始するためには、色合わせなどのために所定の印刷準備期間が必要となることから、この間に各ローラを回転することで、表面に付着している保湿材Ｂは、ウェブＷに転移して除去され、印刷障害となることはない。
【００７２】
このように実施例３の印刷機にあっては、インキつぼ３５、インキ元ローラ３６、受渡しローラ３７、練ローラ３８、往復ローラ３９、インキ着ローラ４０、版胴３２、ブランケット胴３１を直列に対接して構成し、インキローラ群３３に付着している水性インキからの水分蒸発を抑制するインキ保湿手段として、インキローラ群３３を構成する受渡しローラ３７、練ローラ３８、往復ローラ３９、インキ着ローラ４０の表面に保湿材Ｂを付与する保湿材噴射ノズル７１を設けている。
【００７３】
従って、印刷作業を行う印刷モード間で印刷作業を停止する印刷停止モードにあるとき、保湿材噴射ノズル７１により噴射された保湿材Ｂがインローラ群３３の水性インキの表面を被覆することから、各ローラの表面にある水性インキからの水分蒸発が抑制されることとなり、水性インキの乾燥を抑制し、品質の低下を防止して良好な印刷作業を行うことができる。
【００７４】
なお、この実施例３では、保湿材噴射ノズル７１を移動してインキローラ群３３の各ローラの表面に保湿財Ｂを付着させたが、この方法に限定されるものではない。例えば、印刷ユニット２１による印刷作業が終了し、印刷機を停止するとき、インキ着ローラ４０を版胴３２から離間させ、受渡しローラ３７、練ローラ３８、往復ローラ３９、インキ着ローラ４０を低速回転しながら、保湿材噴射ノズル７１により受渡しローラ３７の表面に保湿材Ｂを噴射することで、保湿材Ｂを受渡しローラ３７から練ローラ３８、往復ローラ３９、インキ着ローラ４０に転移させ、各ローラ表面の水性インキを保湿材Ｂにより被覆するようにしてもよい。
【００７５】
また、上述した各実施例では、インキ供給装置３３，６１として、インキつぼ３５，６２とインキ元ローラ３６を設けたが、インキ元ローラ３６と受渡しローラ３７との間に呼び出しローラを設けて構成してもよい。この場合、インキキーが不要となる。
【００７６】
また、上述した各実施例では、印刷機を４つの印刷ユニットから構成したが、１つまたは２つまたは５つ以上に構成してもよい。また、印刷ユニットをインキ供給装置とインキローラ群と版胴とブランケット胴から構成したが、このローラ及び胴の構成並びにその数は実施例に限定されるものではなく、適宜最適なものに設定すればよい。更に、印刷機を両面印刷機としたが、片面印刷機でもよく、また、輪転印刷機に限らず、枚葉印刷機に適用することもできる。
【産業上の利用可能性】
【００７７】
本発明に係る印刷機は、インキ貯留部に貯留された水性インキからの水分蒸発を抑制するインキ保湿手段を設けることで、インキ貯留部に貯留されている水性インキの乾燥を抑制して良好な印刷作業を行うものであり、いずれの印刷機にも適用することができる。
【図面の簡単な説明】
【００７８】
【図１】本発明の実施例１に係る印刷機における印刷ユニットを表す概略構成図である。
【図２】実施例１の印刷ユニットにおけるインキ供給装置を表す概略図である。
【図３】実施例１の印刷機を表す概略構成図である。
【図４】本発明の実施例２に係る印刷機におけるインキ供給装置を表す概略図である。
【図５】本発明の実施例３に係る印刷機における印刷ユニットを表す概略構成図である。
【符号の説明】
【００７９】
１１  給紙装置
１２  インフィード装置
１３  印刷装置
１４  乾燥装置
１５  冷却装置
１６  ウェブパス装置
１７  折り装置
１８  排紙装置
２１，２２，２３，２４  印刷ユニット
３１，４１  ブランケット胴
３２  版胴
３３  インキローラ群
３４，６１  インキ供給装置
３５，６２  インキつぼ（インキ貯留部）
３５ｃ  送出防止ブレード
３６  インキ元ローラ
４０  インキ着ローラ
５１  第１噴射ノズル
５３  加湿空気供給源
６３  カバー（インキ保湿手段）
Ａ  水性インキ
Ｂ  保湿材（インキ保湿手段）
【図１】
2010143207.tif 000003
【図２】
2010143207.tif 000004
【図３】
2010143207.tif 000005
【図４】
2010143207.tif 000006
【図５】
2010143207.tif 000007